(57)【要約】      （修正有）【課題】ユーザのプライベートを確保しつつ、親しい間柄ではスペースを共有することができるテントを提供する。【解決手段】ユーザに居住空間を提供する箱状ないし筒状の本体２と、本体において対向する面に設けられた開閉自在な開口部と、本体の外面に設けられたフック面５１とループ面５２を有する連結部と、を具備するテント１であって、隣り合うテントとの間で対応する連結部同士を結合することで、対応する開口部同士が向き合った状態で隣り合うテントと連結する。【選択図】図３
0003230974.tif 000002
【実用新案登録請求の範囲】
【請求項１】
ユーザに居住空間を提供する中空部を有する本体と、
前記本体において対向する面に設けられた開閉自在な開口部と、
前記本体の外面に設けられた連結部と、
を具備するテントであって、
隣り合うテントとの間で対応する連結部同士を結合することで、対応する開口部同士が向き合った状態で前記隣り合うテントと連結すること、
を特徴とするテント。
【請求項２】
前記連結部が、前記開口部を含む面の縁部に取り付けられた面ファスナであること、
を特徴とする請求項１に記載のテント。
【請求項３】
前記本体に設けられて開閉自在な通気性窓部を更に具備すること、
を特徴とする請求項１又は２に記載のテント。
【請求項４】
前記本体の内面に取り付けられて、物を吊るすためのホルダを更に具備すること、
を特徴とする請求項１〜３のいずれかに記載のテント。
【請求項５】
前記本体において天面となる外面に取り付けられた透明なポケットを更に具備すること、
を特徴とする請求項１〜４のいずれかに記載のテント。
【考案の詳細な説明】
【技術分野】
【０００１】
本考案は、テントに関し、特に災害などの緊急時に好適に利用されるテントに関する。
【背景技術】
【０００２】
例えば特許文献１は、一人分の居住空間を提供する筒状のテントを開示している。このようなテントは、占有スペースが小さく、災害などの緊急時に好適に利用される。
【先行技術文献】
【特許文献】
【０００３】
【特許文献１】特表平１１−５１０８６６号公報
【考案の概要】
【考案が解決しようとする課題】
【０００４】
しかし、この種のテントでは、家族などの親しい間柄でスペースを共有することができない。したがって、コミュニケーション不足、孤独感といった問題に適切に対処することができない。
【０００５】
本考案は、ユーザのプライベートを確保しつつ、親しい間柄ではスペースを共有することができるテントを提供することを目的とする。
【課題を解決するための手段】
【０００６】
上記の課題を解決すべく、本考案は、
ユーザに居住空間を提供する中空部を有する本体と、
前記本体において対向する面に設けられた開閉自在な開口部と、
前記本体の外面に設けられた連結部と、
を具備するテントであって、
隣り合うテントとの間で対応する連結部同士を結合することで、対応する開口部同士が向き合った状態で前記隣り合うテントと連結すること、
を特徴とするテント
を提供する。
【０００７】
上記の本考案のテントにおいては、前記連結部が、前記開口部を含む面の縁部に取り付けられた面ファスナであること、が好ましい。
【０００８】
また、上記の本考案のテントは、前記本体に設けられて開閉自在な通気性窓部を更に具備すること、が好ましい。
【０００９】
また、上記の本考案のテントは、前記本体の内面に取り付けられて、物を吊るすためのホルダを更に具備すること、が好ましい。
【００１０】
また、上記の本考案のテントは、前記本体において天面となる外面に取り付けられた透明なポケットを更に具備すること、が好ましい。
【考案の効果】
【００１１】
本考案によれば、プライベートを確保しつつ、親しい間柄ではスペースを共有することができるテントを提供することができる。したがって、コミュニケーション不足、孤独感といった問題に適切に対処することができる。
【図面の簡単な説明】
【００１２】
【図１】本考案の一実施形態に係るテント１の上面図、正面図、底面図、背面図及び側面図である。
【図２】複数のテント１が連結される様子を示す図である。
【図３】テント１の連結機構の説明図である。
【図４】通気性窓部６の説明図である。
【図５】ホルダ７の説明図である。
【考案を実施するための形態】
【００１３】
以下、本考案に係るテントの代表的な実施形態について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１４】
テント１は、ユーザに居住空間を提供する折畳み可能なテントである。例えば図１に示すように、テント１は、本体２、開口部３，４及び連結部５を含む。
【００１５】
本体２は、全体として箱状ないし筒状を呈し、中空部を有しており、一人分の居住空間を提供する。本体２は、生地を骨（図示せず）で支持することで構成することができる。本体２を構成する生地としては、防水性や保温性を有する生地を好適に用いることができる。
【００１６】
ここでは、説明の便宜上、本体２を構成する壁面を、本体２を横置きした場合を基準として、底面２１、天面２２、正面２３、背面２４及び側面２５，２６と呼ぶこととする。ただし、テント１は、側面２５，２６のいずれかを床面として縦置きすることもできる（図４参照）。
【００１７】
開口部３，４は、ユーザの本体２への出入りや換気等のため、本体２において対向する面に設けられる。本実施形態では、図１（Ｂ），（Ｄ）に示すように、開口部３，４は正面２３及び背面２４に形成されている。開口部３，４は、開口部３，４は、例えばスライドファスナを介してカバーにより開閉可能であるが（例えば図４（Ａ）のカバー３１）、開口部３，４の開閉手段としてはボタン、面ファスナ等の他の種類のファスナでもよい。
【００１８】
図１に示すように、本体２の外面に連結部５が設けられている。連結部５は、開口部３，４を含む面（正面２３，背面２４）の縁部に取り付けられた面ファスナから構成されてもよい。ただし、連結部５は、ボタン、スライドファスナなどの他の種類のファスナで構成しても差し支えない。また、連結部５は本体２の縁部以外の部位に取り付けられてもよい。
【００１９】
連結部５として面ファスナを用いる場合、面ファスナとして、互いに結合可能なフック面５１とループ面５２を用いることができる。例えば、図３（Ａ），（Ｂ）に示すように、対応する連結部５（フック面５１とループ面５２）同士を結合させることで、対応する開口部３，４（正面２３と背面２４）同士が向き合った状態で隣り合うテント１同士が連結される。
【００２０】
テント１は、本体２に開閉自在な通気性窓部６を更に具備してもよい。通気性窓部６は、メッシュ生地で作製され、例えばスライドファスナなどの留め具を介してカバー６１により開閉されてもよい（図４（Ａ），（Ｂ）参照）。本実施形態では、例えば図１（Ｂ）に示すように、通気性窓部６が正面２３において開口部３の隣に配置されているが、他の面に形成されてもよい。通気性窓部６は、ユーザが呼吸したり外部を視認したりしやすいように、ユーザの顔に対応する位置に配置されていることが好ましい。
【００２１】
図５（Ａ）〜（Ｃ）に示すように、テント１は、本体２の内面２Ａに、トイレットペーパー９１、ランタン９２などの物を吊るすためのホルダ７を更に有してもよい。ホルダ７の設置場所としては、例えば上面２２や側面２５（頭側）などの内面でよく、また、複数のホルダ７が設置されてもよい。ホルダ７は、一端を本体２の内面に固定され、他端に面ファスナを有する一対の紐として構成されてもよい。
【００２２】
例えば図２（Ａ），（Ｂ）に示すように、テント１は、本体２において天面（ここでは上面２２）となる外面に透明なポケット８を更に具備してもよい。ポケット８には、居住者を把握しやすくするために、氏名などを記載した紙を表札代わりに入れてもよい。
【００２３】
本実施形態のテント１は、例えばアウトドアテント、災害時の防災テント、防災用トイレテント、着替え用テントなどとして簡易に使用可能である。例えば、テント１が避難所などで使用されると、テント１は避難者の個室に早変わりし、避難者のプライバシー確保に役立つ。
【００２４】
テント１は、縦置きでも横置きでも使用可能である。例えば、アウトドアテントや防災テントとして使用される場合には、テント１を横置きとし、トイレテントや着替え用テントとして使用される場合には、テント１を縦置きとすればよい。横置きにされたテント１は、１名のユーザが楽に寝転がれるほどの居住空間を提供することができる。また、縦置きにされたテント１は、着替え等に便利である。
【００２５】
また、複数のテント１を連結することにより、家族等の親密な間柄で共有したスペースが利用可能になる。したがって、ユーザ間のコミュニケーションが活発になり、ユーザの孤独や不安の軽減が期待される。
【００２６】
複数のテント１の連結は、面ファスナなどの連結部５を介して行われるので、連結及び取外しの作業が簡単である（図３参照）。テント１は、何個でも連結可能であるので、人数や場所を選ばない。
【００２７】
複数のテント１の連結時でも、開口部２，３のファスナを閉めることで、１個のテント１が個々のユーザのプライベート空間となり、着替え等の際に安心である。
【００２８】
以上、本考案の一実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【符号の説明】
【００２９】
１      テント
２      本体
３，４  開口部
５      連結部
６      通気性窓部
【図１】
0003230974.tif 000003
【図２】
0003230974.tif 000004
【図３】
0003230974.tif 000005
【図４】
0003230974.tif 000006
【図５】
0003230974.tif 000007